(57)【要約】【課題】プロテクタ付ワイヤーハーネスの中間製造物の保管、運搬効率の向上を図ることを目的とする。【解決手段】プロテクタ付ワイヤーハーネスの製造方法は、ワイヤーハーネスを収容可能な第１プロテクタ分割部３０とワイヤーハーネスを収容可能な第２プロテクタ分割部５０Ａ、５０Ｂとに、ワイヤーハーネスを収容し、第１プロテクタ分割部３０と前記第２プロテクタ分割部５０Ａ、５０Ｂとがワイヤーハーネスを介して連結されたプロテクタ付ワイヤーハーネスの中間製造物を得る工程と、プロテクタ付ワイヤーハーネスの中間製造物を車両に組付けると共に、第１プロテクタ分割部３０と第２プロテクタ分割部５０Ａ、５０Ｂとを合体させる工程とを備える。【選択図】図１
2015019511.tif 000002
【特許請求の範囲】
【請求項１】
（ａ）ワイヤーハーネスを収容可能な第１プロテクタ分割部とワイヤーハーネスを収容可能な第２プロテクタ分割部とに、前記ワイヤーハーネスを収容し、前記第１プロテクタ分割部と前記第２プロテクタ分割部とが前記ワイヤーハーネスを介して連結されたプロテクタ付ワイヤーハーネスの中間製造物を得る工程と、
（ｂ）前記プロテクタ付ワイヤーハーネスの中間製造物を車両に組付けると共に、前記第１プロテクタ分割部と前記第２プロテクタ分割部とを合体させる工程と、
を備えるプロテクタ付ワイヤーハーネスの製造方法。
【請求項２】
請求項１記載のプロテクタ付ワイヤーハーネスの製造方法であって、
前記第１プロテクタ分割部は、一側部にワイヤーハーネス収容用開口が形成されると共に、少なくとも一端側に第１開口部が形成された樋状の第１収容本体部を含み、
前記第２プロテクタ分割部は、前記第１収容本体部に対して交差する方向に突出して配設可能な筒状の第２収容本体部を含み、前記第２収容本体部のうち前記第１収容本体部に対して突出する側の端部にワイヤーハーネス収容用開口が形成されると共に、前記第２収容本体部の一側部であってそのワイヤーハーネス収容用開口から反対側の端部に向う部分に、中間開口部と、前記第１開口部と連設可能な第２開口部とが連続して形成され、
前記工程（ａ）において、前記第１収容本体部の前記ワイヤーハーネス収容用開口と前記第２収容本体部の前記ワイヤーハーネス収容用開口とを、前記第１開口部と前記第２開口部とを連設した状態におけるそれらの位置関係よりも近づけた状態で、前記ワイヤーハーネスを前記第１プロテクタ分割部と前記第２プロテクタ分割部とに収容する、プロテクタ付ワイヤーハーネスの製造方法。
【請求項３】
請求項２記載のプロテクタ付ワイヤーハーネスの製造方法であって、
前記第１開口部及び前記第２開口部の一方の両側部に、前記第２開口部と前記中間開口部とを結ぶ方向に沿って延びる一対の溝部が形成され、
前記第１開口部及び前記第２開口部の他方の両側部に、前記一対の溝部にスライド挿入可能な一対の合体用突片が突設され、
前記工程（ｂ）において、前記一対の合体用突片が前記一対の溝部にスライド挿入されることで、前記第１プロテクタ分割部と前記第２プロテクタ分割部とが合体される、プロテクタ付ワイヤーハーネスの製造方法。
【請求項４】
ワイヤーハーネスと、
前記ワイヤーハーネスを収容する第１プロテクタ分割部と、
前記第１プロテクタ分割部と合体可能で、かつ、前記ワイヤーハーネスを収容する第２プロテクタ分割部と、
を備え、
前記第１プロテクタ分割部と前記第２プロテクタ分割部とが相対的な位置関係を変更可能な状態で、前記ワイヤーハーネスを介して連結されている、プロテクタ付ワイヤーハーネスの中間製造物。
【請求項５】
一側部にワイヤーハーネス収容用開口が形成されると共に、少なくとも一端側に第１開口部が形成された樋状の第１収容本体部を含み、ワイヤーハーネスを収容可能な第１プロテクタ分割部と、
前記第１収容本体部に対して交差する方向に突出して配設可能な筒状の第２収容本体部を含み、前記第２収容本体部のうち前記第１収容本体部に対して突出する側の端部にワイヤーハーネス収容用開口が形成されると共に、前記第２収容本体部の一側部であってそのワイヤーハーネス収容用開口から反対側の端部に向う部分に、中間開口部と、前記第１開口部と連設可能な第２開口部とが連続して形成され、前記ワイヤーハーネスを収容可能な第２プロテクタ分割部と、
を備え、
前記第１開口部及び前記第２開口部の一方の両側部に、前記第２開口部と前記中間開口部とを結ぶ方向に沿って延びる一対の溝部が形成され、
前記第１開口部及び前記第２開口部の他方の両側部に、前記一対の溝部にスライド挿入可能な一対の合体用突片が突設され、
前記一対の合体用突片が前記一対の溝部にスライド挿入されることで、前記第１プロテクタ分割部と前記第２プロテクタ分割部とが合体する、プロテクタ。
【発明の詳細な説明】
【技術分野】
【０００１】
この発明は、ワイヤーハーネスをプロテクタによって保護する技術に関する。
【背景技術】
【０００２】
特許文献１に開示のように、車両等に配設されるワイヤーハーネスを保護するため、プロテクタが用いられることがある。プロテクタは、樹脂等によって半筒状或は筺状に形成されており、前記ワイヤーハーネスを覆うことで当該ワイヤーハーネスを外部から保護する役割を有する。
【先行技術文献】
【特許文献】
【０００３】
【特許文献１】特開２０１３−４２５６６号公報
【発明の概要】
【発明が解決しようとする課題】
【０００４】
ところで、プロテクタは、ワイヤーハーネスの配設対象となる経路に応じた形状に形成される。このため、プロテクタが長尺形状であったり、曲った形状であったりすると、プロテクタ付ワイヤーハーネスの保管、運搬効率に劣る。
【０００５】
そこで、本発明は、プロテクタ付ワイヤーハーネスの中間製造物の保管、運搬効率の向上を図ることを目的とする。
【課題を解決するための手段】
【０００６】
上記課題を解決するため、第１の態様に係るプロテクタ付ワイヤーハーネスの製造方法は、（ａ）ワイヤーハーネスを収容可能な第１プロテクタ分割部とワイヤーハーネスを収容可能な第２プロテクタ分割部とに、前記ワイヤーハーネスを収容し、前記第１プロテクタ分割部と前記第２プロテクタ分割部とが前記ワイヤーハーネスを介して連結されたプロテクタ付ワイヤーハーネスの中間製造物を得る工程と、（ｂ）前記プロテクタ付ワイヤーハーネスの中間製造物を車両に組付けると共に、前記第１プロテクタ分割部と前記第２プロテクタ分割部とを合体させる工程と、を備える。
【０００７】
第２の態様は、第１の態様に係るプロテクタ付ワイヤーハーネスの製造方法であって、前記第１プロテクタ分割部は、一側部にワイヤーハーネス収容用開口が形成されると共に、少なくとも一端側に第１開口部が形成された樋状の第１収容本体部を含み、前記第２プロテクタ分割部は、前記第１収容本体部に対して交差する方向に突出して配設可能な筒状の第２収容本体部を含み、前記第２収容本体部のうち前記第１収容本体部に対して突出する側の端部にワイヤーハーネス収容用開口が形成されると共に、前記第２収容本体部の一側部であってそのワイヤーハーネス収容用開口から反対側の端部に向う部分に、中間開口部と、前記第１開口部と連設可能な第２開口部とが連続して形成され、前記工程（ａ）において、前記第１収容本体部の前記ワイヤーハーネス収容用開口と前記第２収容本体部の前記ワイヤーハーネス収容用開口とを、前記第１開口部と前記第２開口部とを連設した状態におけるそれらの位置関係よりも近づけた状態で、前記ワイヤーハーネスを前記第１プロテクタ分割部と前記第２プロテクタ分割部とに収容するものである。
【０００８】
第３の態様は、第２の態様に係るプロテクタ付ワイヤーハーネスの製造方法であって、前記第１開口部及び前記第２開口部の一方の両側部に、前記第２開口部と前記中間開口部とを結ぶ方向に沿って延びる一対の溝部が形成され、前記第１開口部及び前記第２開口部の他方の両側部に、前記一対の溝部にスライド挿入可能な一対の合体用突片が突設され、前記工程（ｂ）において、前記一対の合体用突片が前記一対の溝部にスライド挿入されることで、前記第１プロテクタ分割部と前記第２プロテクタ分割部とが合体されるものである。
【０００９】
第４の態様に係るプロテクタ付ワイヤーハーネスの中間製造物は、ワイヤーハーネスと、前記ワイヤーハーネスを収容する第１プロテクタ分割部と、前記第１プロテクタ分割部と合体可能で、かつ、前記ワイヤーハーネスを収容する第２プロテクタ分割部と、を備え、前記第１プロテクタ分割部と前記第２プロテクタ分割部とが相対的な位置関係を変更可能な状態で、前記ワイヤーハーネスを介して連結されているものである。
【００１０】
第５の態様に係るプロテクタは、一側部にワイヤーハーネス収容用開口が形成されると共に、少なくとも一端側に第１開口部が形成された樋状の第１収容本体部を含み、ワイヤーハーネスを収容可能な第１プロテクタ分割部と、前記第１収容本体部に対して交差する方向に突出して配設可能な筒状の第２収容本体部を含み、前記第２収容本体部のうち前記第１収容本体部に対して突出する側の端部にワイヤーハーネス収容用開口が形成されると共に、前記第２収容本体部の一側部であってそのワイヤーハーネス収容用開口から反対側の端部に向う部分に、中間開口部と、前記第１開口部と連設可能な第２開口部とが連続して形成され、前記ワイヤーハーネスを収容可能な第２プロテクタ分割部と、を備え、前記第１開口部及び前記第２開口部の一方の両側部に、前記第２開口部と前記中間開口部とを結ぶ方向に沿って延びる一対の溝部が形成され、前記第１開口部及び前記第２開口部の他方の両側部に、前記一対の溝部にスライド挿入可能な一対の合体用突片が突設され、前記一対の合体用突片が前記一対の溝部にスライド挿入されることで、前記第１プロテクタ分割部と前記第２プロテクタ分割部とが合体するように構成されている。
【発明の効果】
【００１１】
第１の態様によると、プロテクタ付ワイヤーハーネスの中間製造物は、前記第１プロテクタ分割部と前記第２プロテクタ分割部とが前記ワイヤーハーネスを介して連結された構成とされているため、ワイヤーハーネスを曲げることによって、第１プロテクタ分割部と第２プロテクタ分割部との相対的な位置関係を変更できる。これより、プロテクタ付ワイヤーハーネスの中間製造物を保管、運搬に適した形態に変形させることができ、プロテクタ付ワイヤーハーネスの中間製造物の保管、運搬効率の向上を図ることができる。
【００１２】
第２の態様によると、第１プロテクタ分割部のワイヤーハーネス収容用開口と第２収容本体部の前記ワイヤーハーネス収容用開口とを近づけた状態で、前記ワイヤーハーネスを前記第１プロテクタ分割部と前記第２プロテクタ分割部とに収容するため、ワイヤーハーネスの収容作業を容易に行える。
【００１３】
第３の態様によると、一対の合体用突片を一対の溝部にスライド挿入することで、第１プロテクタ分割部と第２プロテクタ分割部とが合体されるため、それらの合体作業を容易に行える。
【００１４】
第４の態様によると、合体可能な前記第１プロテクタ分割部と前記第２プロテクタ分割部とが相対的な位置関係を変更可能な状態で、前記ワイヤーハーネスを介して連結されているため、プロテクタ付ワイヤーハーネスの中間製造物を保管、運搬に適した形態に変形させることができ、プロテクタ付ワイヤーハーネスの中間製造物の保管、運搬効率の向上を図ることができる。
【００１５】
第５の態様によると、第１収容本体部及び第２収容本体部のそれぞれにワイヤーハーネスを収容して、前記第１プロテクタ分割部と前記第２プロテクタ分割部とが相対的な位置関係を変更可能な状態で、前記ワイヤーハーネスを介して連結された状態とすることで、プロテクタ付ワイヤーハーネスの中間製造物の保管、運搬効率の向上を図ることができる。また、プロテクタ付ワイヤーハーネスの中間製造物を車両に組付ける際には、一対の合体用突片を前記一対の溝部にスライド挿入することで、前記第１プロテクタ分割部と前記第２プロテクタ分割部とを容易に合体させることができる。
【図面の簡単な説明】
【００１６】
【図１】実施形態に係るプロテクタを示す斜視図である。
【図２】図１の部分斜視図である。
【図３】プロテクタ付ワイヤーハーネスを製造する工程を示す概略斜視図である。
【図４】プロテクタ付ワイヤーハーネスを製造する工程を示す概略斜視図である。
【図５】プロテクタ付ワイヤーハーネスを製造する工程を示す概略斜視図である。
【図６】プロテクタ付ワイヤーハーネスを製造する工程を示す概略斜視図である。
【図７】プロテクタ付ワイヤーハーネスを製造する工程を示す説明図である。
【図８】プロテクタ付ワイヤーハーネスを製造する工程を示す説明図である。
【図９】プロテクタ付ワイヤーハーネスを製造する工程を示す説明図である。
【図１０】変形例に係るプロテクタ付ワイヤーハーネスを製造する工程を示す概略説明図である。
【図１１】変形例に係るプロテクタ付ワイヤーハーネスを製造する工程を示す概略説明図である。
【図１２】変形例に係るプロテクタ付ワイヤーハーネスを製造する工程を示す概略説明図である。
【発明を実施するための形態】
【００１７】
以下、実施形態に係るプロテクタ付ワイヤーハーネスの製造方法、プロテクタ付ワイヤーハーネスの中間製造物及びプロテクタについて説明する。
【００１８】
まず、プロテクタ２０について説明する。図１はプロテクタ２０を示す斜視図であり、図２は図１の部分斜視図である。
【００１９】
このプロテクタ２０は、第１プロテクタ分割部３０と、第２プロテクタ分割部５０Ａ、５０Ｂとを備えている。第１プロテクタ分割部３０、第２プロテクタ分割部５０Ａ、５０Ｂはそれぞれ樹脂等によって一体的に金型成型されている。そして、ワイヤーハーネスＷＨが第１プロテクタ分割部３０及び第２プロテクタ分割部５０Ａ、５０Ｂに収容されると共に、第１プロテクタ分割部３０及び第２プロテクタ分割部５０Ａ、５０Ｂが合体されることで、ワイヤーハーネスＷＨの保護及び経路規制がなされる（図６参照）。
【００２０】
ここで、ワイヤーハーネスＷＨは、電力の供給或は信号の通信を行う電線を少なくとも１本（ここでは、複数）含んでおり、車両において電気機器同士を接続する配線材として用いられる。ワイヤーハーネスＷＨは、光ファイバを含んでいてもよい。ここでは、ワイヤーハーネスＷＨは、幹線部分から１つの分岐部分が分岐するようにまとめられた状態を示しているが、分岐部分はなくてもよく、また、複数の分岐部分が設けられていてもよい。
【００２１】
プロテクタ２０は、第１プロテクタ分割部３０の両端部に２つの第２プロテクタ分割部５０Ａ、５０Ｂが設けられた構成とされている。
【００２２】
第１プロテクタ分割部３０は、一側部にワイヤーハーネス収容用開口５４Ａｈが形成されると共に、少なくとも一端側（ここでは両端側）に第１開口部３２ｈが形成された樋状の第１収容本体部３４を含む。そして、ワイヤーハーネスＷＨがワイヤーハーネス収容用開口３４ｈを通って第１収容本体部３４内に収容される。第１収容本体部３４内では、ワイヤーハーネスＷＨは、当該第１収容本体部３４の延在方向に沿って配設され、第１収容本体部３４の両端側の第１開口部３２ｈから外方に延出される。
【００２３】
より具体的には、第１収容本体部３４は、底部３５と、一対の側壁部３６とを備える。底部３５は長方形板状に形成されており、各側壁部３６は長方形板状に形成されている。底部３５の両側部に一対の側壁部３６が形成されており、第１収容本体部３４は、全体として半角筒形状をなす樋状に形成されている。上記第１開口部３２ｈは、第１収容本体部３４の延在方向両端側に設けられ、ワイヤーハーネス収容用開口３４ｈは、第１収容本体部３４のうち前記底部３５の反対側に設けられる。
【００２４】
また、一方の側壁部３６の長手方向中間部にはワイヤーハーネス引出用凹部３８が形成されている。そして、本第１収容本体部３４内に収容されたワイヤーハーネスＷＨからの分岐部分が必要に応じて本ワイヤーハーネス引出用凹部３８から外方に引出される。なお、ワイヤーハーネス引出用凹部３８の周縁部からワイヤーハーネス固定片３８ｐが外方に向けて突出しており、本ワイヤーハーネス引出用凹部３８から引出される前記分岐部分がワイヤーハーネス固定片３８ｐに対して粘着テープ等によって固定される。
【００２５】
また、この第１プロテクタ分割部３０は、取付対象（ここでは、後述するリーンホース９６）に対して固定可能な固定片３９が突設されている。ここでは、第１収容本体部３４の一方の側壁部３６の外面から外方に向けて突出するように一対の固定片３９が設けられている。固定片３９には、リーンホース９６に形成された固定孔に挿入固定可能な挿入固定部３９ａが突設されている（図３、図４参照）。挿入固定部３９ａは、例えば、柱状部分の先端部から基端部に向けて外方に広がる固定片が突設された構成とされ、本挿入固定部３９ａを固定孔に挿入すると、前記固定片が固定孔の縁部に抜止め係止する。このような挿入固定部３９ａは、クリップ又はクランプと呼ばれることもある。これにより、本第１収容本体部３４を含む第１プロテクタ分割部３０を取付対象であるリーンホース９６に対して固定できるようになっている。
【００２６】
また、第１プロテクタ分割部３０のうち第１開口部３２ｈの両側部に、一対の合体用突片４０が形成されている。この一対の合体用突片４０については、第２プロテクタ分割部５０Ａ、５０Ｂ側の一対の溝部６０Ａ、６０Ｂと共に後で説明する。
【００２７】
なお、第１プロテクタ分割部３０は、上記第１収容本体部３４以外の部分、例えば、ワイヤーハーネス収容用開口３４ｈを塞ぐ蓋部等を備えていてもよい。
【００２８】
第２プロテクタ分割部５０Ａ、５０Ｂは、第１収容本体部３４の端部で、当該第１収容本体部３４の延在方向に対して交差する方向に突出して配設可能な第２収容本体部５４Ａ、５４Ｂを含む。
【００２９】
第２収容本体部５４Ａのうち第１収容本体部３４に対して突出する側（上側）の端部にはワイヤーハーネス収容用開口５４Ａｈが形成されている。また、第２収容本体部５４Ａの一側部であって上記ワイヤーハーネス収容用開口５４Ａｈから反対側（下側）の端部に向う部分に、中間開口部５９Ａと、第２開口部５２Ａｈとがこの順で連続して形成されている。換言すれば、第２収容本体部５４Ａの一側部のうちワイヤーハーネス収容用開口５４Ａｈとは反対側の端部よりの位置に第２開口部５２Ａｈが形成され、ワイヤーハーネス収容用開口５４Ａｈと第２開口部との間に中間開口部５９Ａが形成されている。
【００３０】
ここでは、中間開口部５９Ａ及び第２開口部５２Ａｈの両側部に、第１プロテクタ分割部３０側に向けて突出する一対の側片が形成されているが、これは必須ではない。
【００３１】
上記第２開口部５２Ａｈは、上記第１開口部３２ｈと同様の大きさ、形状の開口形状に形成されており、第１開口部３２ｈと連設して配置可能とされる。ここでは、第１開口部３２ｈの周縁部を第２開口部５２Ａｈの周縁部と対向させた状態で配設できるようになっている。そして、第１開口部３２ｈと第２開口部５２Ａｈとを連設した状態で、第２収容本体部５４Ａのうち第２開口部５２Ａｈが形成された端部とは反対側の端部（上側端部）が、第２収容本体部５４Ａに対して交差（ここでは直交）する一方向に突出して配設可能とされる（図６参照）。
【００３２】
より具体的には、第２収容本体部５４Ａは、一端側（下側）が閉塞されると共に、他端側（上側）がワイヤーハーネス収容用開口５４Ａｈとして開口する筒形状（ここでは角筒形状）に形成されている。第２収容本体部５４Ａの他端側（上側）部分は、その外周りの一方側に突出しており、第２収容本体部５４Ａをその側方から視ると、逆Ｌ字状をなすようになっている。なお、本第２収容本体部５４Ａを側面視した状態において、内側コーナー部分は弧状をなすように湾曲しており、この湾曲面を取付対象であるリーンホース９６の外周面に沿って配設することができるようになっている。
【００３３】
また、第２収容本体部５４Ａをワイヤーハーネス収容用開口５４Ａｈ側から視ると、細長い形状を呈している。そして、本プロテクタ２０をワイヤーハーネス収容用開口３４ｈ、５４Ａｈ側から視た平面視では、第１開口部３２ｈと第２開口部５２Ａｈとを連設した状態で、第２収容本体部５４Ａの一部が第１収容本体部３４の一側方に突出する。
【００３４】
また、同じく平面視において、第２収容本体部５４Ａのワイヤーハーネス収容用開口５４Ａｈの延在方向の一端部と、他端側の側部にワイヤーハーネス引出用凹部５６Ａ、５７Ａが形成されている。そして、本第２収容本体部５４Ａ内に収容されたワイヤーハーネスＷＨからの幹線部分又は分岐部分が必要に応じて本ワイヤーハーネス引出用凹部５６Ａ，５７Ａから外方に引出される。なお、ワイヤーハーネス引出用凹部５６Ａ、５７Ａの周縁部からワイヤーハーネス固定片５６Ａｐ、５７Ａｐが外方に向けて突出しており、本ワイヤーハーネス引出用凹部５６Ａ、５７Ａから引出される幹線部分又は分岐部分がワイヤーハーネス固定片５６Ａｐ、５７Ａｐに対して粘着テープ等によって固定される。
【００３５】
また、第２収容本体部５４Ａの一側部であって上記ワイヤーハーネス収容用開口５４Ａｈから離れた位置（下側の位置）に上記第２開口部５２Ａｈが形成されている。また、第２収容本体部５４Ａの一側部であって前記ワイヤーハーネス収容用開口５４Ａｈと第２開口部５２Ａｈとの間に中間開口部５９Ａが形成されている。つまり、第２収容本体部５４Ａの一側部（第１プロテクタ分割部３０が配設される側の側部）には、中間開口部５９Ａ及び第２開口部５２Ａｈが繋がって、全体として１つの細長い方形状開口が形成された構成とされており、この方形状開口は、ワイヤーハーネス収容用開口５４Ａｈとも繋がっている。ここでは、中間開口部５９Ａの幅と第２開口部５２Ａｈの幅とは同じであるが、同じで無くてもよい。中間開口部５９Ａは、ワイヤーハーネスＷＨが通過可能な幅に形成されていればよい。
【００３６】
なお、第２収容本体部５４Ａは、上記第２収容本体部５４Ａ以外の部分、例えば、ワイヤーハーネス収容用開口５４Ａｈを塞ぐ蓋部等を備えていてもよい。
【００３７】
第２プロテクタ分割部５０Ｂも、大きさ等が異なる点を除いて、上記第２プロテクタ分割部５０Ａと同様構成とされている。第２プロテクタ分割部５０Ｂの各構成部分については、以下の説明及び図面において、上記第２プロテクタ分割部５０Ａの各構成部分に付された参照符号において”Ａ”を”Ｂ”に置換した参照符号を付することとし、その重複説明を省略する。
【００３８】
また、第１プロテクタ分割部３０と第２プロテクタ分割部５０Ａとは、次の構成によって、第１開口部３２ｈと第２開口部５２Ａｈとを連設させた状態で合体可能に構成されている。
【００３９】
すなわち、上記第１開口部３２ｈの両側部に、次述する一対の溝部６０Ａにスライド挿入可能な一対の合体用突片４０が形成されている。より具体的には、第１収容本体部３４の一対の側壁部３６の外面であって第１開口部３２ｈ側の縁部に一対の合体用突片４０が形成されている。合体用突片４０は、細長い板形状に形成されており、側壁部３６のうち第１開口部３２ｈ側の縁部に沿って、側壁部３６の外面に対して直交する姿勢で突出している。ここでは、合体用突片４０は、側壁部３６のうち底部３５からその高さ方向中間部迄の領域に形成されているが、側壁部３６の高さ方向全体に亘って形成されていてもよい。
【００４０】
また、上記第２開口部５２Ａｈの両側部に一対の溝部６０Ａが形成されている。一対の溝部６０Ａは、第２開口部５２Ａｈと中間開口部５９Ａとを結ぶ方向、換言すれば、中間開口部５９Ａから第２開口部５２Ａｈに向う方向に沿って延びるように形成されている。
【００４１】
より具体的は、第２収容本体部５４Ａのうち第２開口部５２Ａｈの両側部の外方部分に、一対の溝形成突部６２Ａが形成されている。
【００４２】
溝形成突部６２Ａは、細長板状片６３Ａと、一対のガイド片６４Ａ、６５Ａとを備える。
【００４３】
細長板状片６３Ａは、細長板状に形成されており、第２収容本体部５４Ａのうち第２開口部５２Ａｈの側部に沿って、第２開口部５２Ａｈの軸方向外側に突出している。
【００４４】
一方のガイド片６４Ａは、細長板状片６３Ａの先端側縁部に設けられており、他方のガイド片６４Ｂは、細長板状片６３Ａの先端側縁部と基端側縁部との中間に設けられている。
【００４５】
各ガイド片６４Ａ、６５Ａは、細長板状に形成されており、細長板状片６３Ａの延在方向に沿って、第１開口部３２ｈ側に突出するように設けられている。ガイド片６４Ａ、６５Ａとの間には細長い隙間が形成されており、この隙間によって上記溝部６０Ａが形成されている。溝部６０Ａは、第２開口部５２Ａｈの両側部の延在方向に沿っており、換言すれば、第２開口部５２Ａｈと中間開口部５９Ａとを結ぶ方向に沿って延びている。ガイド片６４Ａ、６５Ａの間隔寸法、即ち、溝部６０Ａの幅寸法は、上記合体用突片４０の厚み寸法と同じであるか当該厚み寸法よりも大きい寸法に設定される。合体用突片４０を溝部６０Ａにスライド挿入させた状態で、第１プロテクタ分割部３０と第２プロテクタ分割部５０Ａとの間のがたつきをなるべくなくすためには、ガイド片６４Ａ、６５Ａの間隔寸法は、上記合体用突片４０の厚み寸法と同程度に設定されていることが好ましい。
【００４６】
なお、上記溝部６０Ａは、中間開口部５９Ａ側では開口しており、その反対側では底部６１Ａによって閉塞されている。また、溝部６０Ａの長さ寸法は、合体用突片４０と同じ長さ寸法に設定されているが、当該合体用突片４０の長さ寸法より長くても短くてもよい。
【００４７】
一対の溝部６０Ａの間隔寸法は、上記一対の合体用突片４０の間隔寸法に応じた寸法に設定されており、一対の合体用突片４０を同時に一対の溝部６０Ａにスライド挿入できるようになっている。
【００４８】
なお、ここでは、一対の側壁部３６の外側に一対の合体用突片４０が形成され、これらに応じた位置に一対の溝部６０Ａが形成された例で説明したが、一対の側壁部の内側に一対の合体用突片が形成され、これに応じた内側位置に溝部が形成されてもよい。
【００４９】
また、本実施形態では、第１プロテクタ分割部３０に一対の合体用突片４０が形成され、第２プロテクタ分割部５０Ａに一対の溝部が形成された例で説明したが、この逆、即ち、第１プロテクタ分割部に一対の溝部が形成され、第２プロテクタ分割部に一対の合体用突片が形成されていてもよい。
【００５０】
第１プロテクタ分割部３０と第２プロテクタ分割部５０Ａとは、一対の合体用突片４０が一対の溝部６０Ａにスライド挿入されることで、合体される。
【００５１】
すなわち、第１プロテクタ分割部３０の第１開口部３２ｈを第２プロテクタ分割部５０Ａの第２開口部５２Ａｈに対向する位置に配設した状態で、第１開口部３２ｈを第２開口部５２Ａｈ側へ移動させる。この際、一対の合体用突片４０を一対の溝部６０Ａにスライド挿入する。そして、一対の合体用突片４０の端部が溝部６０Ａの底部６１Ａに達すると、一対の合体用突片４０が一対の溝部６０Ａに対して一定位置に保持され、もって、第１プロテクタ分割部３０と第２プロテクタ分割部５０Ａとが一定の位置関係に保たれた状態で合体される。
【００５２】
なお、第２プロテクタ分割部５０Ｂも、上記と同様構成によって、第１プロテクタ分割部３０に対して合体される。
【００５３】
なお、ここでは、第１プロテクタ分割部３０の両端側に第２プロテクタ分割部５０Ａ、５０Ｂが設けられた例で説明するが、第２プロテクタ分割部は１つのみ設けられていてもよいし、３つ以上設けられていてもよい。
【００５４】
以上のように構成されたプロテクタ２０を用いてプロテクタ付ワイヤーハーネス１０を製造する方法例について説明する。
【００５５】
なお、図３〜図６は同上の製造方法を示す概略斜視図であり、図７〜図９は同上の製造方法のメリットをわかりやすく示すための説明図である。
【００５６】
まず、図３に示すように、電線を車両における配線形態に応じた経路に沿って敷設して結束作業等を行うためのワイヤーハーネス組立図板９０として、第１プロテクタ分割部３０、第２プロテクタ分割部５０Ａ、第２プロテクタ分割部５０Ｂのそれぞれをセットするためのプロテクタ支持具９２、９３、９３が立設されたものを準備する。プロテクタ支持具９２には、第１プロテクタ分割部３０の第１収容本体部３４を一定位置に支持可能なセット凹部９２ａが形成されており、各プロテクタ支持具９３には、第２プロテクタ分割部５０Ａ、５０Ｂの第２プロテクタ分割部５０Ａ、５０Ｂをそれぞれ一定位置に支持可能なセット凹部９３ａが形成されている。第１プロテクタ分割部３０と、第２プロテクタ分割部５０Ａ、５０Ｂは、プロテクタ支持具９２、９３、９３によって支持された状態で、第１開口部３２ｈと第２開口部５２Ａｈ、５２Ｂｈとの間に間隔を設けた状態とされる。
【００５７】
また、第２プロテクタ分割部５０Ａ、５０Ｂを支持するプロテクタ支持具９３のセット凹部９３ａの底は、第１プロテクタ分割部３０を支持するプロテクタ支持具９２のセット凹部９２ａの底よりも低い位置にあり、第１収容本体部３４のワイヤーハーネス収容用開口３４ｈと第２収容本体部５４Ａ、５４Ｂのワイヤーハーネス収容用開口５４Ａｈ、５４Ｂｈをなるべく同一平面上に近づけた位置関係で、第１プロテクタ分割部３０と第２プロテクタ分割部５０Ａ、５０Ｂとを一定位置に支持できるようになっている。
【００５８】
つまり、第１プロテクタ分割部３０と第２プロテクタ分割部５０Ａ、５０Ｂとは別体とされており、ワイヤーハーネスＷＨの収容工程においては合体もされていないため、上記のように、ワイヤーハーネス収容用開口３４ｈ、５４Ａｈ、５４Ｂｈをなるべく同一平面上に近づけた位置関係とすることができる。ワイヤーハーネス収容用開口３４ｈ、５４Ａｈ、５４Ｂｈは、同一平面上に配設されることが好ましいが、必ずしも同一平面上に配設されている必要はない。ワイヤーハーネス収容用開口３４ｈ、５４Ａｈ、５４Ｂｈを、第１開口部３２ｈと第２開口部５２Ａｈ、５２Ｂｈとを連設した状態におけるそれらの位置関係よりも近づけた状態とできれば、ワイヤーハーネスＷＨの収容作業を容易にすることができる。
【００５９】
そして、第１収容本体部３４と第２収容本体部５４Ａ、５４Ｂとをプロテクタ支持具９２でセットした状態で、ワイヤーハーネスＷＨを、ワイヤーハーネス収容用開口３４ｈ、５４Ａｈ、５４Ｂｈを通じて、第１プロテクタ分割部３０の第１収容本体部３４と第２プロテクタ分割部５０Ａの第２収容本体部５４Ａ、５４Ｂ内に収容する。この際、ワイヤーハーネス収容用開口３４ｈ、５４Ａｈ、５４Ｂｈがなるべく同一平面上に近づいた位置関係にあるため、ワイヤーハーネスＷＨを大きく曲げたりすることなく、容易に収容作業を実施できる（図７参照）。
【００６０】
上記状態で、ワイヤーハーネスＷＨは、第１プロテクタ分割部３０では第１収容本体部３４内にその延在方向に沿って配設されている。また、ワイヤーハーネスＷＨは、第２プロテクタ分割部５０Ａ、５０Ｂ内では、中間開口部５９Ａ、５９Ｂから第２収容本体部５４Ａ、５４Ｂ内を通り、ワイヤーハーネス引出用凹部５６Ａ，５７Ａを経て外部に延出する。第１開口部３２ｈと第２開口部５２Ａｈ、５２Ｂｈの各間の隙間では、ワイヤーハーネスＷＨが部分的に第１収容本体部３４及び第２収容本体部５４Ａ、５４Ｂから露出している。第１開口部３２ｈと第２開口部５２Ａｈ、５２Ｂｈの各間の隙間の寸法、即ち、第１収容本体部３４と第２収容本体部５４Ａ、５４Ｂとの間で露出するワイヤーハーネスＷＨの部分長さ寸法は、第１開口部３２ｈと第２開口部５２Ａｈ、５２Ｂｈとを対向させるように、第１プロテクタ分割部３０と第２プロテクタ分割部５０Ａ、５０Ｂとを合体させた状態で、ワイヤーハーネスＷＨを第２プロテクタ分割部５０Ａ、５０Ｂ内に沿って配設できる程度の余長を付与できる寸法であることが好ましい。
【００６１】
そして、第１プロテクタ分割部３０及び第２プロテクタ分割部５０Ａ、５０Ｂのそれぞれに、ワイヤーハーネスＷＨを収容保持した状態とする。
【００６２】
ここでは、第１プロテクタ分割部３０に粘着テープ、結束バンド等の固定具４８を巻付けて、第１プロテクタ分割部３０内にワイヤーハーネスＷＨを収容保持する。また、第２プロテクタ分割部５０Ａに関しては、ワイヤーハーネスＷＨのうちワイヤーハーネス引出用凹部５６Ａ，５７Ａから引出される部分と、ワイヤーハーネス固定片５６Ａｐ、５７Ａｐとのそれぞれに、粘着テープ、結束バンド等の固定具６８を巻付けて、第２プロテクタ分割部５０Ｂ内にワイヤーハーネスＷＨを収容保持する。第２プロテクタ分割部５０Ｂに関しては、ワイヤーハーネスＷＨのうちワイヤーハーネス引出用凹部５７Ｂから引出される部分と、ワイヤーハーネス固定片５７Ｂｐとのそれぞれに、粘着テープ、結束バンド等の固定具６８を巻付けて、第２プロテクタ分割部５０Ｂ内にワイヤーハーネスＷＨを収容保持する。
【００６３】
これにより、第１プロテクタ分割部３０と第２プロテクタ分割部５０Ａ、５０Ｂとが、ワイヤーハーネスＷＨを介して連結されたプロテクタ付ワイヤーハーネスの中間製造物１０ｂを得ることができる（図４参照）。
【００６４】
なお、第１プロテクタ分割部３０、第２プロテクタ分割部５０Ａ、５０Ｂに対するワイヤーハーネスＷＨの収容保持は、他の構成によって行われてもよい。例えば、第１プロテクタ分割部、第２プロテクタ分割部の側壁部に結束バンドを挿通可能な孔が形成され、結束バンドが当該孔を通った状態で、ワイヤーハーネスと前記側壁部の一部とに結束される構成であってもよい。また、第１収容本体部、第２収容本体部に、ワイヤーハーネス収容用開口を閉じる蓋が被せられることで、ワイヤーハーネスが第１プロテクタ分割部、第２プロテクタ分割部に収容保持される構成であってもよい。
【００６５】
ワイヤーハーネスは、第１プロテクタ分割部、第２プロテクタ分割部に対して、脱し難い態様で収容保持されていればよく、その延在方向において一定位置に支持されている必要はない。もっとも、ワイヤーハーネスは、第１プロテクタ分割部、第２プロテクタ分割部に対して、その延在方向において一定位置にも支持されていることが好ましい。
【００６６】
上記プロテクタ付ワイヤーハーネスの中間製造物１０ｂは、ワイヤーハーネスＷＨと、ワイヤーハーネスＷＨを収容する第１プロテクタ分割部３０と、この第１プロテクタ分割部３０と合体可能で、かつ、ワイヤーハーネスＷＨを収容する第２プロテクタ分割部５０Ａ、５０Ｂとを備え、第１プロテクタ分割部３０と第２プロテクタ分割部５０Ａ、５０Ｂとが相対的な位置関係を変更可能な状態でワイヤーハーネスＷＨを介して連結された構成とされている。
【００６７】
このため、当該中間製造物１０ｂを、保管、運搬等に適した形態に変形させることができる。例えば、平面視において、プロテクタ２０は、第１開口部３２ｈと第２開口部５２Ａｈ、５２Ｂｈとを連設した状態で、第２プロテクタ分割部５０Ａ，５０Ｂの一部が第１プロテクタ分割部３０の一側方に突出した状態となる。そこで、図４及び図８に示すように、第１プロテクタ分割部３０と第２プロテクタ分割部５０Ａ、５０ＢとのワイヤーハーネスＷＨを曲げ変形させて、平面視において、第２プロテクタ分割部５０Ａ、５０Ｂの延在方向が第１プロテクタ分割部３０の延在方向に対して斜め姿勢となるようにする。これにより、平面視において、第１プロテクタ分割部３０の延在方向に対する第２プロテクタ分割部５０Ａ、５０Ｂの出っ張り量を小さくすることができる。これにより、多数の中間製造物１０ｂをコンテナ内等に収容して保管、運搬等することが可能となり、その保管、運搬効率に優れる。
【００６８】
上記プロテクタ付ワイヤーハーネスの中間製造物１０ｂを、運搬等して、車両に対する組付現場に搬入する。そして、図５、図６及び図９に示すように、第１プロテクタ分割部３０及び第２プロテクタ分割部５０Ａ、５０Ｂを、取付対象としてのリーンホース９６に取付ける。
【００６９】
すなわち、図５に示すように、第１プロテクタ分割部３０と第２プロテクタ分割部５０Ａ、５０Ｂとの間でワイヤーハーネスＷＨを曲げ変形させて、第１開口部３２ｈと中間開口部５９Ａ、５９Ｂとが対向する位置関係となるようにする。そして、第２プロテクタ分割部５０Ａ、５０Ｂの側面視における内側コーナー部分内にリーンホース９６を配設するように、第２プロテクタ分割部５０Ａ、５０Ｂをリーンホース９６上に配設する。
【００７０】
そして、第１プロテクタ分割部３０を第２プロテクタ分割部５０Ａ、５０Ｂに対して下方に移動させて、図６及び図９に示すように、第１開口部３２ｈを中間開口部５９Ａ、５９Ｂから第２開口部５２Ａｈ、５２Ｂｈ側に移動させる。この際、ワイヤーハーネスＷＨは、中間開口部５９Ａ、５９Ｂから第２開口部５２Ａｈ、５２Ｂｈに向けて移動する。第１プロテクタ分割部３０を下方に移動させる際、第１プロテクタ分割部３０の両端部のそれぞれの一対の合体用突片４０を、第２プロテクタ分割部５０Ａ、５０Ｂのそれぞれの一対の溝部６０Ａ内にスライド挿入する。これにより、第１プロテクタ分割部３０の両端部に第２プロテクタ分割部５０Ａ、５０Ｂが合体される。また、第１プロテクタ分割部３０の挿入固定部３９ａを、リーンホース９６の固定孔に挿入して、第１プロテクタ分割部３０をリーンホース９６に対して固定する。また、第２プロテクタ分割部５０Ａ、５０Ｂの外方に延出するワイヤーハーネスＷＨを、リーンホース９６に対して粘着テープ、結束バンド等の固定具９９で固定する。第１プロテクタ分割部３０と第２プロテクタ分割部５０Ａ、５０Ｂとが上記のように合体することで、第１プロテクタ分割部３０と第２プロテクタ分割部５０Ａ、５０Ｂとの位置関係が一定に維持される。
【００７１】
なお、リーンホース９６に対する第１プロテクタ分割部３０の取付固定が粘着テープ、結束バンド等の固定具を用いて行われてもよいし、また、リーンホース９６に対する第２プロテクタ分割部５０Ａ、５０Ｂの取付固定が挿入固定部３９ａと同様の構成によってなされてもよい。また、第１プロテクタ分割部３０、第２プロテクタ分割部５０Ａ、５０Ｂは、その他、ネジ止固定、スタッドボルト等によって取付対象に取付固定されてもよい。
【００７２】
これにより、プロテクタ付ワイヤーハーネスの中間製造物１０ｂが、車両に組付けられると共に、第１プロテクタ分割部３０と第２プロテクタ分割部５０Ａ、５０Ｂとが合体し、ワイヤーハーネスＷＨを所定経路に沿って維持しつつ当該ワイヤーハーネスＷＨを保護するプロテクタ付ワイヤーハーネス１０が完成する。
【００７３】
以上のように本実施形態によると、プロテクタ付ワイヤーハーネスの中間製造物１０ｂは、第１プロテクタ分割部３０と第２プロテクタ分割部５０Ａ、５０Ｂとが、ワイヤーハーネスＷＨを介して連結された構成とされているため、ワイヤーハーネスＷＨを曲げることによって、第１プロテクタ分割部３０と第２プロテクタ分割部５０Ａ、５０Ｂとの相対的な位置関係を変更できる。これにより、プロテクタ付ワイヤーハーネスの中間製造物１０ｂを保管、運搬に適した形態に変形させることができ、その保管、運搬効率の向上を図ることができる。そして、プロテクタ付ワイヤーハーネスの中間製造物１０ｂを車両に組付ける際に、第１プロテクタ分割部３０と第２プロテクタ分割部５０Ａ、５０Ｂとを合体させることで、第１プロテクタ分割部３０と第２プロテクタ分割部５０Ａ、５０Ｂとの位置関係を一定に維持し、ワイヤーハーネスＷＨの経路を一定に維持しつつ、その保護を行える。
【００７４】
また、第１プロテクタ分割部３０は、一側部にワイヤーハーネス収容用開口３４ｈが形成されると共に少なくとも一端部に第１開口部３２ｈが形成された樋状の第１収容本体部３４を含み、第２プロテクタ分割部５０Ａ、５０Ｂは、第１収容本体部３４に対して交差する方向に突出して配設可能な筒状の第２収容本体部５４Ａ、５４Ｂを含む。また、第２収容本体部５４Ａ、５４Ｂのうち第１収容本体部３４に対して突出する側の端部にワイヤーハーネス収容用開口５４Ａｈ、５４Ｂｈが形成されると共に、第２収容本体部５４Ａ、５４Ｂの一側部であってワイヤーハーネス収容用開口５４Ａｈ、５４Ｂｈから反対側の端部に向う部分に、中間開口部５９Ａ、５９Ｂと、第２開口部５２Ａｈ、５２Ｂｈとが連続して形成されている。そして、最終形態における第１プロテクタ分割部３０のワイヤーハーネス収容用開口３４ｈと第２プロテクタ分割部５０Ａ、５０Ｂのワイヤーハーネス収容用開口５４Ａｈ、５４Ｂｈの位置に拘らず、ワイヤーハーネス収容用開口３４ｈ、５４Ａｈ、５４Ｂｈをなるべく同一平面上に近づけた状態で、ワイヤーハーネスＷＨを第１プロテクタ分割部３０と第２プロテクタ分割部５０Ａ、５０Ｂとに収容することができるため、ワイヤーハーネスＷＨの収容作業を容易に行えるようになっている。
【００７５】
また、第１開口部３２ｈの両側部に一対の合体用突片４０が形成され、第２開口部５２Ａｈ、５２Ｂｈの両側部に一対の溝部６０Ａが形成され、プロテクタ付ワイヤーハーネスの中間製造物１０ｂを車両に取付ける際に、一対の合体用突片４０を一対の溝部６０Ａにスライド挿入することで、第１プロテクタ分割部３０と第２プロテクタ分割部５０Ａ、５０Ｂとが合体するため、それらの合体作業を容易に行える。
【００７６】
｛変形例｝
なお、上記実施形態で説明したプロテクタ付ワイヤーハーネスの製造方法は、上記実施形態で説明した特定構造のプロテクタ２０以外のプロテクタについても適用できる。
【００７７】
図１０〜図１２に示すプロテクタ１２０では、第１プロテクタ分割部１３０と第２プロテクタ分割部１５０とが、それぞれ直線状に延在する角筒形状又は樋形状に形成されている。
【００７８】
第１プロテクタ分割部３０の一端部には第１開口部１３２ｈが開口している。第１プロテクタ分割部１３０のうち第１開口部１３２ｈ側の両側部の外面には一対の合体用突片１４０が突設されている。
【００７９】
第２プロテクタ分割部１５０の一端部には第２開口部１５２ｈが開口している。第２プロテクタ分割部１５０のうち第２開口部１５２ｈ側の両側部の内面には一対の溝部１６０が突設されている。
【００８０】
そして、図１０に示すように、第１プロテクタ分割部１３０と第２プロテクタ分割部１５０とを合体させず別々の状態としたままで、ワイヤーハーネスＷＨを第１プロテクタ分割部１３０と第２プロテクタ分割部１５０とのそれぞれに収容することができる。この収容状態は、例えば、第１プロテクタ分割部１３０と第２プロテクタ分割部１５０とのそれぞれに粘着テープ、結束バンド等の固定具１９０を巻付けること等によって保持される。好ましくは、ワイヤーハーネスＷＨは、第１プロテクタ分割部１３０と第２プロテクタ分割部１５０とのそれぞれに対してその延在方向に沿って一定位置に支持された状態で保持される。
【００８１】
これにより、図１１に示すように、第１プロテクタ分割部１３０と第２プロテクタ分割部１５０とが、合体されずに、ワイヤーハーネスＷＨを介して連結された状態とされた、プロテクタ付ワイヤーハーネスの中間製造物１１０ｂが完成する。このプロテクタ付ワイヤーハーネスの中間製造物１１０ｂは、第１プロテクタ分割部１３０と第２プロテクタ分割部１５０との間で、ワイヤーハーネスＷＨを曲げ変形させることによって、第１プロテクタ分割部１３０と第２プロテクタ分割部１５０とを直線状に延在させた状態よりも短い状態に変形させることができる。このため、本プロテクタ付ワイヤーハーネスの中間製造物１１０ｂを、コンテナ内等に収容することができ、その保管、運搬効率の向上を図ることができる。
【００８２】
そして、プロテクタ付ワイヤーハーネスの中間製造物１１０ｂを車両に組付ける際には、第１プロテクタ分割部１３０と第２プロテクタ分割部１５０とを直線状に延し、一対の合体用突片１４０を一対の溝部１６０にスライド挿入することによって、第１プロテクタ分割部１３０と第２プロテクタ分割部１５０とを合体させる。この状態で、第１プロテクタ分割部１３０と第２プロテクタ分割部１５０が、粘着テープ、ネジ、クリップ等を用いて車体に固定される。
【００８３】
従って、ワイヤーハーネスＷＨを第１プロテクタ分割部１３０と第２プロテクタ分割部１５０とに収容し、第１プロテクタ分割部１３０と第２プロテクタ分割部１５０とを合体させずに、ワイヤーハーネスＷＨを介して連結させた状態とすれば、プロテクタ付ワイヤーハーネスの中間製造物１１０ｂの保管、運搬効率の向上を図ることができる。
【００８４】
なお、上記実施形態及び変形例で説明した各構成は、相互に矛盾しない限り適宜組合わせることができる。
【００８５】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８６】
１０  プロテクタ付ワイヤーハーネス
１０ｂ、１１０ｂ  プロテクタ付ワイヤーハーネスの中間製造物
２０、１２０  プロテクタ
３０、１３０  第１プロテクタ分割部
３２ｈ、１３２ｈ  第１開口部
３４  第１収容本体部
３４ｈ  ワイヤーハーネス収容用開口
３８  ワイヤーハーネス引出用凹部
４０、１４０  合体用突片
４８  固定具
５０Ａ、５０Ｂ、１５０  第２プロテクタ分割部
５２Ａｈ、５２Ｂｈ、１５２ｈ  第２開口部
５４Ａ、５４Ｂ  第２収容本体部
５４Ａｈ、５４Ｂｈ  ワイヤーハーネス収容用開口
５６Ａｐ、５７Ａｐ  ワイヤーハーネス固定片
５７Ｂｐ  ワイヤーハーネス固定片
５９Ａ、５９Ｂ  中間開口部
６０Ａ、６０Ｂ、１６０  溝部
６２Ａ  溝形成突部
６８  固定具
９６  リーンホース
１９０  固定具
ＷＨ  ワイヤーハーネス
【図１】
2015019511.tif 000003
【図２】
2015019511.tif 000004
【図３】
2015019511.tif 000005
【図４】
2015019511.tif 000006
【図５】
2015019511.tif 000007
【図６】
2015019511.tif 000008
【図７】
2015019511.tif 000009
【図８】
2015019511.tif 000010
【図９】
2015019511.tif 000011
【図１０】
2015019511.tif 000012
【図１１】
2015019511.tif 000013
【図１２】
2015019511.tif 000014